(57)【要約】【課題】噴霧部を任意の高さに動かせて、ミストを身体の当てたい所に直近から集中的に当てることのできるミストシャワー装置を提供する。【解決手段】壁面に固定されたベース部２と、棒状の導水路３と、噴霧部４で構成され、噴霧部４には、その前面に霧状ないし微細噴霧状にミストを噴出させる複数の噴霧ノズル５，５，５が設けられているとともに、導水路３の上流側は、ベース部２に対し上下回動可能に接続され、導水路３の下流側は、噴霧部４に対し上下回動可能に接続されている。【選択図】図１
2007330639.tif 000002
【特許請求の範囲】
【請求項１】
壁面に固定されたベース部と、棒状の導水路と、噴霧部で構成され、
前記噴霧部には、その前面に霧状ないし微細噴霧状にミストを噴出させる複数の噴霧ノズルが設けられているとともに、
前記導水路の上流側は前記ベース部に対し上下回動可能に接続され、前記導水路の下流側は前記噴霧部に対し上下回動可能に接続されていることを特徴とするミストシャワー装置。
【請求項２】
前記請求項１に記載のミストシャワー装置が上半身用と下半身用に上下に２体設けられているミストシャワー装置。
【発明の詳細な説明】
【技術分野】
【０００１】
本発明は、霧状ないし微細噴霧状にミストを噴出させることのできるノズルを備えたミストシャワー装置に関するものである。
【背景技術】
【０００２】
従来、特許文献１に開示されているように、アームの先端部にシャワーヘッドを備え、アームが複数に分割されて、複数のアーム同士を相対屈曲可能に連結した構造のシャワー装置が存在する。
また、特許文献２に開示されているように、前面に縦横に複数のノズルが設けられ、レバーで複数のノズルを上下回動させて、上向きにミストを噴出させたり、下向きにミストを噴出させるように構成したミストシャワー装置が存在する。
【特許文献１】実用新案登録第２５００９５３号公報
【特許文献２】特開２００３−７９５２７号公報
【発明の開示】
【発明が解決しようとする課題】
【０００３】
上記特許文献１に開示されている構造では、アームには１個のシャワーヘッドが保持されているのみであるため、広い面でミストを噴出させることはできないものであり、入浴者の身体に広い範囲で集中的にミストを当てるためには、複数のシャワー装置を設けねばならず、しかも、複数のシャワーヘッドの高さを変えるには複数のアームをそれぞれ動かす必要があり、使いにくいものとなるという問題点があった。
【０００４】
また、上記特許文献２に開示されている構造では、ノズルの高さ位置を変えることはできないものであるため、下から上向きにミストを噴霧すると入浴者の顔に当たってしまい、肩などに良好にミストを当てることが困難であり、また、ノズルと身体の間の距離が遠くなりやすく、噴霧されたミストが身体に到達するまでに冷めやすく、しかもマッサージ効果が低下してしまうという問題点があった。
【課題を解決するための手段】
【０００５】
本発明は上記従来の問題点に鑑み案出したものであって、１つの動作で複数のノズルの高さを変えて広い面でミストを噴出させることができ、しかも、ミストを身体に近づけた位置で噴霧させることのできるミストシャワー装置を提供せんとするものであり、その請求項１は、壁面に固定されたベース部と、棒状の導水路と、噴霧部で構成され、前記噴霧部にはその前面に霧状ないし微細噴霧状にミストを噴出させる複数の噴霧ノズルが設けられているとともに、前記導水路の上流側は前記ベース部に対し上下回動可能に接続され、前記導水路の下流側は前記噴霧部に対し上下回動可能に接続されていることである。
【０００６】
また、請求項２は、前記請求項１に記載のミストシャワー装置が上半身用と下半身用に上下に２体設けられていることである。
【発明の効果】
【０００７】
本発明のミストシャワー装置は、壁面に固定されたベース部と、棒状の導水路と、噴霧部で構成され、前記噴霧部にはその前面に霧状ないし微細噴霧状にミストを噴出させる複数の噴霧ノズルが設けられているとともに、前記導水路の上流側は前記ベース部に対し上下回動可能に接続され、前記導水路の下流側は前記噴霧部に対し上下回動可能に接続されていることにより、ベース部に対し導水路を上下動させて高さを容易に変えることができ、さらに、導水路の先端で噴霧部を上下方向に適宜回動させて角度を自由に変えることができ、噴霧部を任意の高さ及び角度に動かすことができて、ミストを身体の当てたい所に直近から集中的に当てることができるものとなる。
【０００８】
また、前記請求項１に記載のミストシャワー装置が上半身用と下半身用に上下に２体設けられていることにより、上半身用のミストシャワー装置で、背中から肩あたりに集中的にミストを当てることができ、また、下半身用のミストシャワー装置で、腰から足の部分に集中的にミストを当てることができ、立った状態でも、座った状態でも、ミストを身体に当てたい所に直近から集中的に当てることができるものとなる。
【実施例】
【０００９】
以下、本発明の実施例を図面に基づいて説明する。
図１は、浴室あるいはシャワールームの壁面Ｗに、上下に間隔をおいて上半身用の上ミストシャワー装置１Ａと下半身用の下ミストシャワー装置１Ｂを設けた斜視構成図であり、上ミストシャワー装置１Ａと下ミストシャワー装置１Ｂは同一のものであるため、上ミストシャワー装置１Ａを図２の側面図で示し説明する。
ミストシャワー装置１Ａは、壁面Ｗに固定されたベース部２と、このベース部２に対し上下回動可能に連結されて棒状に延びる導水路３と、導水路３の先端に上下回動可能に接続されたパネル状の噴霧部４を備えており、噴霧部４の前面には縦横方向に間隔をおいて複数の噴霧ノズル５が設けられ、各噴霧ノズル５から霧状ないし微細噴霧状にミストを噴出させることができるように構成されている。
【００１０】
図４の要部破断平面構成図で示すように、ベース部２の側面の軸受部２ａに軸７が回動可能に挿通され、軸７は導水路３の上流端側に接続されており、軸７はベース部２内においてワンウェイクラッチ８に接続されている。
ワンウェイクラッチ８は、上方側へ軸７が回転される時には、固定部９に対し自由に回転し、軸７が下方側へ回転する時には摩擦力を生じさせて、導水路３及び噴霧部４が自重で下方へ動かないようにするものである。
また、噴霧部４の裏側に設けられた接続部４ａは、導水路３の下流端側で左右側の軸１０ａ，１０ｂにより上下方向に回動可能に連結されており、この軸１０ａ，１０ｂは、摩擦力で噴霧部４を任意の角度位置に静止させることができるものである。
【００１１】
ベース部２の側面にはハンドル６が設けられており、このハンドル６は、図３の配管図で示すように、ベース部２内に設けられた混合部１１に連結されており、外側の温調ハンドル部６ａを回すことにより、混合部１１における湯水の混合量が調整されて適温の湯が生成されるものであり、また、内側の流量・止水ハンドル部６ｂを回すことにより、流量を調整し、また止水させることができるものである。
混合部１１には、ベース部２内において給湯管１２と給水管１３がそれぞれ別方向から接続されており、給湯管１２の上流側には壁面Ｗ側に湯側止水栓１２ａが接続されており、また、給水管１３の壁面Ｗ側にも水側止水栓１３ａが接続されている。
【００１２】
温調ハンドル部６ａを調整することで、給水管１３からの水と給湯管１２からの湯が混合部１１で適量に混合されて温水が生成され、生成された温水は混合部１１に接続された温水管１４を通り流され、この温水管１４は、ベース部２から導水路３内を通って噴霧部４内の分岐管１５に連通接続されており、噴霧部４内の分岐管１５で左右側に温水が分岐されて、分岐管１５の左右に略平行状に設けられているそれぞれのノズル管１６ａ，１６ｂに温水が供給され、各ノズル管１６ａ，１６ｂには、本例ではそれぞれ３個の噴出口１７，１７，１７が形成されており、各噴出口１７には、その前面側にそれぞれ噴霧ノズル５が接続される。
【００１３】
このような構成においては、回転軸が上下２個所に存在し、ベース部２に対する導水路３の高さ及び角度を自由に調整でき、さらに導水路３に対する噴霧部４の角度も自由に変えることができるものであり、噴霧部４を任意の高さに動かせて、噴霧ノズル５を身体の当てたい所に極めて近づけることができて、複数の噴霧ノズル５から身体の当てたい所にミストを集中的に当てることができ、マッサージ効果も得られるものとなる。
【００１４】
なお、図５および図６は、立った状態で上ミストシャワー装置１Ａと下ミストシャワー装置１Ｂを使用している使用状態の一例を示すものであり、図５では、壁面Ｗ側に背中を向けて上ミストシャワー装置１Ａの噴霧部４を肩の裏側あたりに配置させて、斜め上方より肩にミストを噴霧させており、また、下ミストシャワー装置１Ｂの噴霧部４を尻の部分に配置させてミストを噴霧させて使用している状態である。
【００１５】
この状態から身体を壁面Ｗ側に反転させると、上ミストシャワー装置１Ａの噴霧部４の噴霧ノズル５から噴出されるミストが顔に当たってしまうため、図６に示すように、上ミストシャワー装置１Ａの噴霧部４を下向きにして、良好に胸にミストを噴出させることができるものとなる。
【００１６】
また、図７および図８は、座った状態で使用している状態図であり、図７では、壁側に向いて座り、上ミストシャワー装置１Ａの噴霧部４からのミストを胸に当て、また、下ミストシャワー装置１Ｂの噴霧部４からのミストを膝あたりに当てて使用している状態であり、図８は、壁面Ｗに背を向けて座り、上ミストシャワー装置１Ａの噴霧部４を肩の上あたりに配置し、ミストを肩に直接当てており、また、下ミストシャワー装置１Ｂの噴霧部４を背中の腰上あたりに配置させて、腰にミストを噴霧させて使用している状態である。
【００１７】
このように立った状態でも、座った状態でも、身体の当てたい部分に良好にミストを直近から集中的に当てることができ、適温のミストが身体に当たり、また良好なマッサージ効果が得られるものとなる。
【図面の簡単な説明】
【００１８】
【図１】上半身用と下半身用のそれぞれのミストシャワー装置を壁面に設置した状態の斜視構成図である。
【図２】上半身用のミストシャワー装置の拡大側面構成図である。
【図３】ミスト装置内の配管概略構成図である。
【図４】回動機構の要部を示す破断平面構成図である。
【図５】立った状態で壁に背を向けてミストシャワー装置を使用している使用状態図である。
【図６】立った状態で壁側に向いた状態でミストシャワー装置を使用している使用状態図である。
【図７】座った状態で壁側を向いてミストシャワー装置を使用している使用状態図である。
【図８】座った状態で壁に背を向けてミストシャワー装置を使用している使用状態図である。
【符号の説明】
【００１９】
１Ａ  上ミストシャワー装置
１Ｂ  下ミストシャワー装置
２  ベース部
２ａ  軸受部
３  導水路
４  噴霧部
４ａ  接続部
５  噴霧ノズル
６  ハンドル
６ａ  温調ハンドル部
６ｂ  流量・止水ハンドル部
７  軸
８  ワンウェイクラッチ
１０ａ，１０ｂ  軸
１１  混合部
１２  給湯管
１３  給水管
１４  温水管
１５  分岐管
１６ａ，１６ｂ  ノズル管
１７  噴出口
【図１】
2007330639.tif 000003
【図２】
2007330639.tif 000004
【図３】
2007330639.tif 000005
【図４】
2007330639.tif 000006
【図５】
2007330639.tif 000007
【図６】
2007330639.tif 000008
【図７】
2007330639.tif 000009
【図８】
2007330639.tif 000010